(57)【要約】【課題】吐出する飲料が従来のように凹部に溜まることを防ぐ。【解決手段】蓋体４に係止部材５を設置し、該係止部材５に設けた係止爪５２と栓体本体３に設けた係止受け部３９との係止により蓋体４を閉状態に係止する。係止受け部３９を液流路３７の外周外側の左右両方に配置する。液流路３７内の従来技術における凹部が除去されて、吐出が乱れることなく安定した流れとなる。また凹部に飲料が溜まり汚れとして残留することがなくなり、したがって凹部がないため洗浄も容易となり衛生的となる。【選択図】図２
2008137657.tif 000002
【特許請求の範囲】
【請求項１】
容器本体の上部開口に着脱自在に取り付けられる栓体本体と、該栓体本体内側に形成された液流路と、該液流路の上部かつ前記栓体本体の前側に設けた注ぎ口又は飲み口と、前記栓体本体の後ろ側で該栓体本体に回動自在に軸支され前記液流路を開閉する蓋体と、該蓋体に設けられ前記液流路を上方から液密に密閉する止水部材と、前記蓋体を閉状態に係止する係止部材とを備えた飲料用容器の栓体において、
前記蓋体に前記係止部材を設置し、該係止部材に設けた係止爪と前記栓体本体に設けた係止受け部との係止により前記蓋体を閉状態に係止すると共に、前記栓体本体の係止受け部を前記液流路の外周外側の左右いずれか一方もしくは両方に配置したことを特徴とする飲料用容器の栓体。
【請求項２】
前記液流路を略楕円形に形成すると共に、該液流路の前後方向を長径、左右方向を短径としたことを特徴とする請求項１記載の飲料用容器の栓体。
【発明の詳細な説明】
【技術分野】
【０００１】
本発明は、栓体の注ぎ口又は飲み口を覆う蓋体が栓体本体にヒンジにより軸支され、蓋体が閉状態に係止される飲料用容器の栓体に関するものである。
【背景技術】
【０００２】
従来、この種のものとして係止部材が蓋体側に設置され、栓体側の係止受け部が液流路の内側に設置されたものとして、容器本体の開口部に着脱自在に取り付けられる有底筒状の栓体本体の底壁に液通孔を穿設して、底壁から上部開口の間を液流路とし、この栓体本体の上部に上下方向にヒンジ回動可能に設けられて栓体本体の上部開口を開閉する蓋体に液通孔を上方から密閉するシール部材を設け、蓋体の上面に、蓋体の側壁から突出して栓体本体の内周壁に係合することにより蓋体を閉状態に保持する係止爪を備えた係止部材を係止爪突出方向に往復動可能に設けたものであり、係止部材は、栓体本体の上部開口を蓋体で閉じた際に、係止爪が栓体本体の前側に配置した係止受け部と係止して蓋体を閉状態に保持するようにしたものである。したがって、この従来技術では、栓体本体の底壁から上部開口間の寸法を短くできるとともに、蓋体を開く係止部材の操作が横方向であるから、栓体全体の高さを従来よりも低くできる（例えば特許文献１）。
【０００３】
一方、係止部材が設置され、係合部は液流路の外側かつ注ぎ口（または飲み口）の前部に設置されたものとして、栓体に注液通路を閉塞する蓋部材をスプリングにより開方向に付勢した状態で開閉自在に枢支するとともに、該蓋部材の反枢支点側を、栓体に設けられたロック部材により閉塞状態を保持し得るように係止して、ロック部材へのワンタッチ操作により注液通路を開通し得るようにしたものが知られている（例えば特許文献２）。
【０００４】
また、容器本体の口部に着脱自在に取り付けられる筒状の飲み口部材（栓体本体に相当）と、該飲み口部材にヒンジ軸を介して結合されて飲み口部材の上部開口を開閉する蓋部材（蓋体に相当）と、該蓋部材を開方向に付勢するスプリングと、飲み口部材のヒンジ軸と対向する位置に設けられて蓋部材を閉状態に保持するロック部材とを備えたものも知られている（例えば特許文献３）。
【０００５】
さらに、栓体にヒンジにて開閉可能に連結され、栓体の天板に開口する注出口を液密に覆う蓋体を備え、ヒンジと反対側に蓋体の全閉状態を保持するロック手段を備えた飲料用容器の中栓も知られている（例えば特許文献４）。
【特許文献１】特許第３６２００４０号公報
【特許文献２】特許第３０７５１７５号公報
【特許文献３】特許第３６２００４２号公報
【特許文献４】特開２００３−２１２２５８号公報
【発明の開示】
【発明が解決しようとする課題】
【０００６】
前記係止部材が蓋体側に設置され、栓体側の係止受け部が液流路の内側に設置されたものでは、係止受け部が液流路の内側に設置されているため、係止受け部（凹部）には吐出する飲料が溜まりやすく不衛生になるおそれがある。また、飲料を注ぐ、吐出する際に飲料が係止受け部にぶつかり、飲料の流れが乱れてスムーズに注ぐ、吐出することができなくなるおそれもある。さらに、流路内に係止受け部があるため洗浄しにくく、凹部に除去できない汚れ（飲料）が残留し、不衛生になるおそれがある。
【０００７】
一方、係止部材が設置され、係合部は液流路の外側かつ注ぎ口（または飲み口）の前部に設置されたものでは、これを中栓として使用した場合には、飲料を注いだときの注ぎ口からの液だれが生じた場合に、係止部材（係止爪の凹部）に溜まり、不衛生になるおそれがある。また洗浄しにくいため凹部に除去できない汚れ（飲料）が残留し、不衛生になるおそれがある。さらに、このものを直飲み栓として使用する場合、飲み口の前方に係止部材が突起状に配置されているため、飲み口に口を添えて飲む際に係止部材の突起が下唇や顎に接触して邪魔になってしまうおそれがあった。
【０００８】
しかも、両タイプの従来技術においては液流路が平面略円形（円筒形）のため、吐出飲料の流れが比較的幅広に広がりやすく、また吐出する方向（容器を傾ける方向）がずれる場合がある。そのため、容器を急に傾けて吐出飲料の流量や流速が増加した場合や、容器の傾斜方向と注ぎ口（又は飲み口）の傾斜がずれた場合、吐出する目標から外れてしまい、コップなどの縁からはみ出て周囲を汚したり、飲み口に添えた唇の縁から漏れて頬等を汚したりするおそれがあった。
【０００９】
解決しようとする問題点は、吐出する飲料が係止部材の従来のように凹部に溜まることを防ぎ、洗浄時に、凹部に溜まった汚れ（飲料）を除去できずに残留してしまうことを防いで、液流路の洗浄性や衛生面の向上を図る点である。また、注ぎ口（又は飲み口）からの液だれが係止部材の凹部に溜まり汚れとなることを防ぐ点である。さらに、飲み口に口を添えて飲む際に係止部材が下唇や頬にあたり邪魔になることを防ぐ点である。また、係止部材の凹部にぶつかって流れが乱れるのを防ぎ、吐出先から目標から外れて零れ落ちることを防いで、飲料の吐出を確実かつ安定して行えるようにする点である。
【課題を解決するための手段】
【００１０】
請求項１の発明は、  容器本体の上部開口に着脱自在に取り付けられる栓体本体と、該栓体本体内側に形成された液流路と、該液流路の上部かつ前記栓体本体の前側に設けた注ぎ口又は飲み口と、前記栓体本体の後ろ側で該栓体本体に回動自在に軸支され前記液流路を開閉する蓋体と、該蓋体に設けられ前記液流路を上方から液密に密閉する止水部材と、前記蓋体を閉状態に係止する係止部材とを備えた飲料用容器の栓体において、
前記蓋体に前記係止部材を設置し、該係止部材に設けた係止爪と前記栓体本体に設けた係止受け部との係止により前記蓋体を閉状態に係止すると共に、前記栓体本体の係止受け部を前記液流路の外周外側の左右いずれか一方もしくは両方に配置したことを特徴とする飲料用容器の栓体である。
【００１１】
請求項２の発明は、前記液流路を略楕円形に形成すると共に、該液流路の前後方向を長径、左右方向を短径としたことを特徴とする請求項１記載の飲料用容器の栓体である。
【発明の効果】
【００１２】
請求項１の発明によれば、係止受け部を前記液流路の外周外側の左右いずれか一方もしくは両方に配置したことにより、液流路内に従来技術における凹部が除去されて、吐出が乱れることなく安定した流れとなり、また飲料が溜まりにくくなる。
【００１３】
請求項２の発明によれば、吐出飲料の流れが長径方向に沿って流れて幅広とならず中央によって流れることができる。
【発明を実施するための最良の形態】
【００１４】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１５】
以下、本発明を、図１〜５に示す実施形態例に基づいて説明する。魔法瓶等の液体容器の栓体１は、容器本体２の開口部に着脱自在に取り付けられる外栓等と称する栓体本体３と、該栓体本体３の上部に上下方向にヒンジ回動可能に設けられて栓体本体３の上部開口を開閉する内栓等と称する蓋体４と、該蓋体４を前記栓体本体３に閉状態に係止する係止部材５とを有している。容器本体２は外容器２ａと内容器２ｂの間に真空等の断熱層２ｃを介在している。
【００１６】
前記栓体本体３は、有底筒状に形成された栓体部３１と、該栓体部３１を組み付けた容器本体２への取付部３２とからなり、栓体部３１を容器本体２の開口部内に挿入して、取付部３２内周に形成されたネジ部３３を容器本体２の首部外周のネジ部２１に螺合することにより容器本体２の開口部に取り付けられる。前記取付部３２の上部一側に、前記蓋体４が水平方向の支軸６にて上下方向にヒンジ回動可能に取り付けられている。これにより、栓体１は、支軸６と径方向に対向する側が注ぎ口３０になる。
【００１７】
前記栓体部３１は、上面のほぼ中央に、底壁３４を支軸６側から注ぎ口３０側へ低くなるよう傾斜して形成されている。底壁３４の周縁よりほぼ垂直に立ち上がり栓体部３１の上面より上方にやや突出する周壁４０の前側は前方に向けて先細形状として注ぎ口３０を形成する。そして底壁３４の低い方に液通孔３５を、高い方に空気孔３６をそれぞれ穿設して、該底壁３４から上部開口、すなわち注ぎ口３０の間を液流路３７としている。そして、液流路３７を平面略楕円形に形成すると共に、該液流路３７の前後方向（支軸６の軸方向に直交する方向）の径Ａを長径、左右方向（支軸６の軸方向と平行な方向）の径Ｂを短径（Ａ＞Ｂ）としている。そのため底壁３４自体も同様に前後方向を長径、左右方向を短径としている。また、栓体部３１の下部外周には、栓体本体３を容器本体２に取り付けたときに、容器本体２の外周の段部２２に、密着するリング状のシール部材３８が備えられている。
【００１８】
前記蓋体４は、有底筒状に形成された蓋下部４１と、該蓋下部４１の上部開口を覆う蓋上部４２とからなり、蓋下部４１は、胴部４３と底壁４４とを有し、胴部４３の外周にはシール部材取付用の溝４５が周設されている。底壁４４は、前記栓体本体３の底壁３４に対応して略楕円形に形成されており、さらに傾斜して形成されており、その下面には、前記液通孔３５と前記空気孔３６にそれぞれ対応する位置にシール部材取付用の突起４６，４７が形成されている。液通孔３５に対応する突起４６には空気抜き孔４６ａが穿設されている。
【００１９】
また、前記蓋下部４１には、ゴム、エラストマー等のゴム状の弾性体からなる蓋シール部材７が設けられている。この蓋シール部材７は、前記蓋体４を閉じたときに、前記液通孔３５を上方から密閉する止水部材である流入口シール部７１と、前記空気孔３６を上方から密閉する空気孔シール部７２と、前記栓体本体３の上部開口近傍内周壁に密着する流出口シール部７３とを一体に形成したもので、流入口シール部７１を前記突起４６に、空気孔シール部７２を前記突起４７にそれぞれ外嵌し、流出口シール部７３を蓋下部４１に取り付けられる。流入口シール部７１は、突起４６との間に空洞部７５を形成して設けられる。なお、本実施形態例では一体型のシール部材を用いたが、流入口シール部７１、空気孔シール部７２及び流出口シール部７３はそれぞれ別部品でもよい。
【００２０】
前記蓋上部４２の上面には、前記係止部材５が設けられている。該係止部材５は、前記蓋下部４１の左右外周壁から左右方向にそれぞれ突出して前記周壁４０の左右にそれぞれ形成した係止受け部３９に係止する係止爪５２を有し、該係止爪５２の突出方向、すなわち、支軸６から注ぎ口３０方向に往復動可能に設けられ、蓋上部４２の側壁との間に縮設されたコイルスプリング５１により閉蓋状態において常時注ぎ口３０方向へ付勢されている。また、蓋上部４２の上面には、係止爪５２に接続して該係止爪５２を操作する操作部５３を形成していると共に、蓋上部４２の前部に、蓋押し部位である指掛け部５３ａが形成されている。
【００２１】
この係止部材５は、栓体本体３の上部開口を蓋体４で閉じた際に、係止爪５２が前記係止受け部３９と係止して蓋体４を閉状態に保持する。また、操作部５３を前記コイルスプリング５１の付勢力に抗して支軸６側へ動かすことにより、係止爪５２が支軸６側へ移動することにより前記係止受け部３９との係止を解除する。前記周壁４０の左右の中間を切り欠くようにして周壁前側４０ａと周壁後ろ側４０ｂに区画されており、前記切り欠かれたほぼ中間位置に前記係止受け部３９が、液流路３７の外周外側に左右一対に配置されるものであり、周壁前側４０ａの後ろ側端面において、前方へ向けてくぼむようになる凹部を形成することにより配置されるものである。そして凹部の後方（支軸６方向）を開口した前記係止受け部３９内の上面（倒凹部の内天面）はほぼ水平に形成され、さらに係止受け部３９の上部上面、すなわち周壁前側４０ａの後ろ側端面の上面３９ａは後方に向けて一様に下方になるように傾斜している。一方、係止爪５２は閉蓋途中で係止爪５２の下面にいったん面接触するように係止爪５２の下面５４も後方に向けて一様に下方になるように傾斜していると共に、係止爪５２の上面５５は蓋閉時に係止受け部３９内の上面に係止可能なようにほぼ水平に形成されている。
【００２２】
支軸６には、蓋体４を常時開方向（上方）に付勢する弾性部材６１が設けられ、この弾性部材６１の付勢力によって蓋体４は上方に回動して開く。この蓋体４は、支軸６を中心として閉状態から約１８０度開き、容器本体２を傾けて液体を注ぐ際には、弾性部材６１の付勢力によって蓋体４の閉方向への回動が規制され開状態を維持する。
【００２３】
次に前記構成についてその作用を説明する。係止爪５２の上面５５が係止受け部３９内の上面（倒凹部の内天面）に係止することで、弾性部材６１の弾性力に抗して閉蓋状態を維持する。この状態ではコイルスプリング５１の付勢力にしたがって係止爪５２が前方に付勢され続ける。そして、流入口シール部７１、空気孔シール部７２により液通孔３５、空気孔３６を封ずるようにしている。
【００２４】
一方、閉蓋状態の蓋体を蓋開するときは、操作部５３をコイルスプリング５１の付勢力に抗して後方にスライドすることで係止爪５２を後方に移動することにより、係止受け部３９との係止を解除する。この係止解除により弾性部材６１の弾性復元力により蓋体４が支軸６を中心に開方向に回動して開状態となり、この結果流入口シール部７１、空気孔シール部７２が離れた液通孔３５、空気孔３６は開口する。
【００２５】
この状態で、容器本体２を傾斜することで、収容した液体は、液通孔３５を通過して液流路３７を介して注ぎ口３０より注ぎ出る。この際、前後方向（支軸６の軸方向に直交する方向）の径Ａを長径、左右方向（支軸６の軸方向と平行な方向）の径Ｂを短径（Ａ＞Ｂ）としているので、液流路３７において液体は左右に広がるようなことなく、注ぎ口３０方向に向けて細長くなるように流れ出る。
【００２６】
この後、支軸６を中心として弾性部材６１に抗して蓋体４を閉方向へ回動させて閉じるように指掛け部５３ａに指を当てて押し付けると、係止爪５２の傾斜した下面５４が、周壁前側４０ａの後ろ側端面の上面３９ａに当接し、さらに蓋体４を押し付けると係止爪５２の傾斜した下面５４が上面３９ａの傾斜に沿って後ろ側に移動する。この移動はコイルスプリング５１の付勢力に抗してなされる。係止爪５２が係止爪５２の傾斜した下面５４に達すると両者間の当接状態が解除されて、コイルスプリング５１の付勢力で係止爪５２は倒凹部からなる係止受け部３９に押込まれて係止状態を維持する。
【００２７】
以上のように、前記実施例では容器本体２の上部開口に着脱自在に取り付けられる栓体本体３と、該栓体本体３内側に形成された液流路３７と、該液流路３７の上部かつ前記栓体本体３の前側に設けた注ぎ口３０と、前記栓体本体３の後ろ側で該栓体本体３に回動自在に軸支され前記液流路３７を開閉する蓋体４と、該蓋体４に設けられ前記液流路３７を上方から液密に密閉する流入口シール部７１と、前記蓋体４を閉状態に係止する係止部材５とを備え、前記蓋体４に前記係止部材５を設置し、該係止部材５に設けた係止爪５２と前記栓体本体３に設けた係止受け部３９との係止により前記蓋体４を閉状態に係止すると共に、前記係止受け部３９を、注ぎ口３０を外すように前記液流路３７の外周外側の左右両方、すなわち前方に向けて先細形状とした注ぎ口３０を外してその後ろ側に配置したことにより、液流路３７内の従来技術における凹部が除去されて、吐出が乱れることなく安定した流れとなり、また凹部に飲料が溜まり汚れとして残留することがなくなり、したがって凹部がないため洗浄も容易となり衛生的となる。
【００２８】
また、係止部材５を蓋体４側に設置すると共に、係止受け部３９を液流路３７の外周外側の左右両側に配置したことにより、注ぎ口３０の下方には従来技術のような係止部材などによる凹部や突起物はなくなるため、液だれして凹部に飲料が溜まり残留汚れになりにくい。
【００２９】
また、前記液流路３７を略楕円形に形成すると共に、該液流路３７の前後方向を長径Ａ、左右方向を短径Ｂとしたことにより、吐出飲料の流れが幅広とならず中央によって流れることになるため、注ぐ際に吐出飲料がコップなどの目標から外れてこぼれ周囲を汚すことなく、衛生的で快適に注ぎ操作を行うことができる。さらに、注ぎ口３０の突出方向と同一である液流路３７の前後方向が長径Ａであるため、注ぐ際に容器本体２を傾ける方向を容易に視認でき、確実に目的の方向へ傾ける操作を行うことができ、吐出がずれたりこぼれたりすることなく確実な操作を行うことができる。
【実施例２】
【００３０】
以下に他の実施例について説明する。尚、前記実施例１と同一部分には同一符号を付し、その詳細な説明を省略する。
【００３１】
図６は実施例２を示しており、前記栓体部３１の上面より上方に突出する周壁４０を高く形成することで、飲み口８１を形成したものである。そして、係止部材５は、蓋下部４１の左右外周壁からの一方から左右方向に突出しており、係止部材５が係止可能な栓体本体３の係止受け部３９を、係止部材５に対応して前記液流路３７の外周外側の左右いずれか一方に配置している。
【００３２】
このような注ぎ口３０ではなく、飲み口８１を設けたものにおいても、飲み口８１の下方には従来技術のような係止部材などによる凹部や突起物はなくなるため、液だれして凹部に飲料が溜まり残留汚れになることなどがなくなる。また、飲み口８１に口を添えて飲む時に顎や下唇に突起がぶつかり邪魔になることなく衛生的かつ快適に飲むことができる。
【産業上の利用可能性】
【００３３】
以上のように本発明に係る飲料用容器の栓体は、各種の用途に適用できる。
【図面の簡単な説明】
【００３４】
【図１】本発明の実施例１を示す閉蓋状態の斜視図である。
【図２】本発明の実施例１を示す開蓋状態の斜視図である。
【図３】本発明の実施例１を示す平面図である。
【図４】本発明の実施例１を示す断面図である。
【図５】本発明の実施例１を示す図３のＡ−Ａ線断面での開蓋状態の断面図である。
【図６】本発明の実施例２を示す開蓋状態の斜視図である。
【符号の説明】
【００３５】
２  容器本体
３  栓体本体
４  蓋体
５  係止部材
３０注ぎ口
３７  液流路
３９  係止受け部
５２  係止爪
７１  流入口シール部
Ａ  長径
Ｂ  短径
【図１】
2008137657.tif 000003
【図２】
2008137657.tif 000004
【図３】
2008137657.tif 000005
【図４】
2008137657.tif 000006
【図５】
2008137657.tif 000007
【図６】
2008137657.tif 000008